(57)【要約】【課題】未成年者が上記の規制商品を購入するのを防止し、法律違反を防止できる証明証を識別できる紙幣処理装置を提供する。【解決手段】本体１の前端に証明証５および紙幣６を挿入できる挿入溝１１が設けられ、挿入溝１１の後方に接続された通路１２両側には伝動装置２および識別装置３が設けられ、伝動装置２には証明証５および紙幣６を所定の位置まで搬入または排出するモータ２１、複数のローラ２２およびベルト２３が設けられ、識別装置３には通路１２に沿って証明証５の真偽および生年月日を識別するサンプルモジュール３１と、紙幣６の真偽および額面を識別する光学識別モジュール３２と、が設けられる。本体１が自動販売機と接続され、自動販売機がたばこ、酒、薬品またはその他の規制商品を販売するとき、挿入された証明証５の年齢が法定年齢に達しているかどうかを判断する。【選択図】図３
2009175934.tif 000002
【特許請求の範囲】
【請求項１】
本体、伝動装置および識別装置から構成され証明証および紙幣の識別ができる紙幣処理装置であって、
前記本体の前端には証明証および紙幣が挿入される挿入溝が設けられ、前記挿入溝後方には通路が接続され、
前記伝動装置は前記本体の通路両側に設置され、前記伝動装置には証明証および紙幣の所定位置への搬入および排出を行なうモータが設けられ、前記モータには前記証明証および紙幣の位置を移動させる複数のローラおよびベルトが接続され、
前記識別装置は前記本体の通路に設置され、前記識別装置には前記通路前側に証明証の画像を取得して真偽および年齢を識別するサンプルモジュールが設けられ、前記サンプルモジュール後方の通路には紙幣の額面および真偽を識別する光学識別モジュールが設けられることを特徴とする証明証を識別できる紙幣処理装置。
【請求項２】
前記本体の通路前側には、証明証および紙幣の出入を感知する複数のセンサスイッチが設けられ、前記センサスイッチには通路の開閉を行う遮光シャッタが設けられることを特徴とする請求項１記載の証明証を識別できる紙幣処理装置。
【請求項３】
前記通路は、中央から垂直に湾曲していることを特徴とする請求項１記載の証明証を識別できる紙幣処理装置。
【請求項４】
前記本体の通路の前記識別装置の光学識別モジュールの後側には、盗難防止部材が設けられることを特徴とする請求項１記載の証明証を識別できる紙幣処理装置。
【請求項５】
前記伝動装置には、前記本体の通路の後側に紙幣を押圧する紙幣押圧装置が設けられ、前記通路の前記紙幣押圧装置と反対の一側には紙幣を収納する紙幣スタッカが設けられることを特徴とする請求項１記載の証明証を識別できる紙幣処理装置。
【請求項６】
前記紙幣スタッカの通路に近い位置には、紙幣と接触する押圧板が設けられ、前記押圧板の通路から離れた一側には一つまたは一つ以上の弾性部材が設けられることを特徴とする請求項５記載の証明証を識別できる紙幣処理装置。
【請求項７】
前記識別装置は、前記本体の通路上下両側に設置されることを特徴とする請求項１記載の証明証を識別できる紙幣処理装置。
【請求項８】
前記光学識別モジュールには、通路両側に同軸上に発光素子およびセンサ素子が複数設けられ、前記発光素子およびセンサ素子の通路に近い一側にはレンズが設けられることを特徴とする請求項１記載の証明証を識別できる紙幣処理装置。
【請求項９】
前記サンプルモジュールには、電荷結合素子（ＣＣＤ）、相補性金属酸化膜半導体（ＣＭＯＳ）またはその他の形式のカメラが設けられることを特徴とする請求項１記載の証明証を識別できる紙幣処理装置。
【請求項１０】
前記伝動装置のモータの一側には、光リングおよびその回転数を測定するセンサ装置が設けられることを特徴とする請求項１記載の証明証を識別できる紙幣処理装置。
【発明の詳細な説明】
【技術分野】
【０００１】
本発明は、証明証を識別できる紙幣処理装置に関し、特に、本体の通路両側に証明証の真偽、生年月日および紙幣の真偽および額面を識別できる識別装置が設けられ、本体を自動販売機に設置することによって、未成年者がたばこ、酒またはその他の規制商品を購入するのを防止できる紙幣処理装置に関する。
【背景技術】
【０００２】
現代社会においては科学技術が発達し、人と人との距離が縮小されているが、人々の生活リズムも早くなり、更なる利便性およびスピードが追求され、その結果、多くの公共の場所に自動販売機が設置されるようになり、自動販売機は人件費を大幅に節約できるだけでなく、その利便性から現代人に高く受け入れられている。
【０００３】
無人コンビニは、知能性、サービススピードおよび決済スピードに優れ、従来型の販売様式とは異なり、よく見られる飲料販売機、たばこ販売機および切符販売機からアイスクリーム販売機、入場券販売機、記念硬貨販売機およびキーホルダ販売機まで存在し、更にはハンバーガー、フライドポテトの販売機およびラーメン販売機まで存在し、販売される商品の種類は益々多くなっている。また、無人経営およびセルフ決済が強調されたバーチャルショップが多く作られ、人々に非常に便利な購買環境を提供している。
【０００４】
しかし、一般の自動販売機には年齢制限がなく、たばこ、アルコール飲料およびコンドームなどは未成年者でも容易に購入することができ、これらの年齢制限がある商品は未成年者に害を与えることがある。これらの自動販売機は消費者の年齢または身分を識別することができず、誰でも購入することができ、未成年者がこれらの年齢制限のある商品を購入するのを制限することはできない。一部の自動販売機では薬品、塩酸洗浄剤、刀類またはその他の危険な規制商品が販売される可能性があり、これらの自動販売機の安全性を管理しない場合、犯罪者がこれらの商品を容易に購入し、人命を脅かす犯罪を犯す可能性があるので、無人コンビニなどの運用効率を最大限に発揮させるには自動販売機が消費者の年齢および身分の識別を行う必要がある。
【０００５】
従って、年齢制限のある商品を販売する自動販売機を設計する場合、消費者の身分を識別する必要があるので、この種の自動販売機には証明証識別装置が設けられ、消費者が証明証（運転免許証、身分証または健康保険カードなど）を挿入し、識別装置が年齢および身分を読取り、未成年者でないことおよび身分を確認した後、特定の商品または規制商品を販売する自動販売機を使用することができる構造になっている。また、偽造証明証の問題は常に考慮しなければならない問題の一つであり、科学技術の進歩に伴って、一部の犯罪者はコンピュータを使用して読取り、コピー、加工および印刷を行い、精密な偽造証明証を作製し、身分および年齢を偽って犯罪を犯すので、自動販売機に設置される証明証識別装置は多重の識別機能を備える必要があり、証明証の複数の特徴部分（透かし、紙質および個人データ）の識別を行う。
【０００６】
現代社会においては人口が集中し、土地が少なく、人が多い関係から、利用できる空間が益々少なくなっており、自動販売機に紙幣処理装置を設置する以外に、証明証の識別装置を設置して消費者の身分および年齢を識別することによって自動販売機の生産コストが増加し、自動販売機の体積も大幅に増加するので設置できる自動販売機の数量が減少する。従って、如何にして紙幣処理装置に証明証識別機能を持たせるかは本業界に従事するものが改善したかった課題であり、更なる改良が望まれていた事項であった。
本発明の発明者は上述の従来技術の欠点に鑑み、関連資料を収集し、本業界における長年の経験、幾度もの試作および修正の結果、体積が小さく、証明証および紙幣の識別を行なうことができる紙幣処理装置に想到した。
【特許文献１】特開２０００−１５５８１７号公報
【特許文献２】特開２００１−２０９８４７号公報
【特許文献３】特開２００５−２８４４５０号公報
【発明の開示】
【発明が解決しようとする課題】
【０００７】
本発明の第１の目的は、本体の前端に証明証および紙幣を挿入できる挿入溝が設けられ、挿入溝の後方に接続された通路両側には伝動装置および識別装置が設けられ、伝動装置には証明証および紙幣を所定の位置まで搬入または排出するモータ、複数のローラおよびベルトが設けられ、識別装置には通路に沿って証明証の真偽および生年月日を識別するサンプルモジュールと、紙幣の真偽および額面を識別する光学識別モジュールと、が設けられ、本体が自動販売機と接続され、自動販売機がたばこ、酒、薬品またはその他の規制商品を販売するとき、挿入された証明証の年齢が法定年齢に達しているかどうかを判断し、未成年者が上記の規制商品を購入するのを防止し、法律違反を防止できる証明証を識別できる紙幣処理装置を提供することにある。
【０００８】
本発明の第２の目的は、証明証は本体の挿入溝から通路に挿入された後、伝動装置によって所定の位置まで搬入され、識別装置のサンプルモジュールが証明証の真偽および生年月日の識別を行い、識別後、伝動装置が逆回転して証明証を挿入溝まで排出して使用者に返却され、紙幣が挿入溝から同一の通路に挿入されたとき、伝動装置は紙幣を所定の位置まで搬入し、識別装置の光学識別モジュールによって真偽および額面が識別され、紙幣が無効紙幣の場合、伝動装置が逆回転して紙幣が排出され、有効紙幣の場合、伝動装置が紙幣を通路後側の紙幣スタッカに収納し、従来技術では二台の機器を使用して証明証および紙幣の識別をそれぞれ行なっていたのを一台の紙幣処理装置で行なうことができるので、自動販売機の空間を節約でき、同一の通路、伝動装置またはその他の装置によって運転が行われるので、紙幣処理装置内部に必要な部材も節約でき、コストを低減させることができる証明証を識別できる紙幣処理装置を提供することにある。
【０００９】
本発明の第３の目的は、証明証を識別できる紙幣処理装置を使用するとき、使用者は証明証を挿入し、識別が終了した後、証明証が使用者に返却され、その後、紙幣を挿入して商品の購入を行ない、紙幣を挿入する前に証明証が返却されるので、使用者が証明証を取り忘れて紛失したり、他人の手に渡ったりし、再発行などの手続きを取らなければならなくなるのを防止でき、また、証明証が他人によって悪用されるのを防止でき、紙幣処理装置の使用時の安全性を高めることができる証明証を識別できる紙幣処理装置を提供することにある。
【課題を解決するための手段】
【００１０】
上述の課題を解決するために、請求項１の発明は、本体、伝動装置および識別装置から構成され証明証および紙幣の識別ができる紙幣処理装置であって、本体、伝動装置および識別装置から構成され、本体の前端には証明証および紙幣が挿入される挿入溝が設けられ、挿入溝後方には通路が接続され、伝動装置は本体の通路両側に設置され、伝動装置には証明証および紙幣の所定位置への搬入および排出を行なうモータが設けられ、モータには証明証および紙幣の位置を移動させる複数のローラおよびベルトが接続され、識別装置は本体の通路に設置され、識別装置には通路前側に証明証の画像を取得して真偽および年齢を識別するサンプルモジュールが設けられ、サンプルモジュール後方の通路には紙幣の額面および真偽を識別する光学識別モジュールが設けられることを特徴とする証明証を識別できる紙幣処理装置である。
【００１１】
請求項２の発明は、本体の通路前側には、証明証および紙幣の出入を感知する複数のセンサスイッチが設けられ、センサスイッチには通路の開閉を行う遮光シャッタが設けられることを特徴とする請求項１記載の証明証を識別できる紙幣処理装置である。
請求項３の発明は、通路は、中央から垂直に湾曲していることを特徴とする請求項１記載の証明証を識別できる紙幣処理装置である。
請求項４の発明は、本体の通路の識別装置の光学識別モジュールの後側には、盗難防止部材が設けられることを特徴とする請求項１記載の証明証を識別できる紙幣処理装置である。
【００１２】
請求項５の発明は、伝動装置には、本体の通路の後側に紙幣を押圧する紙幣押圧装置が設けられ、通路の紙幣押圧装置と反対の一側には紙幣を収納する紙幣スタッカが設けられることを特徴とする請求項１記載の証明証を識別できる紙幣処理装置である。
請求項６の発明は、紙幣スタッカの通路に近い位置には、紙幣と接触する押圧板が設けられ、押圧板の通路から離れた一側には一つまたは一つ以上の弾性部材が設けられることを特徴とする請求項５記載の証明証を識別できる紙幣処理装置である。
請求項７の発明は、識別装置は、本体の通路上下両側に設置されることを特徴とする請求項１記載の証明証を識別できる紙幣処理装置である。
請求項８の発明は、光学識別モジュールには、通路両側に同軸上に発光素子およびセンサ素子が複数設けられ、発光素子およびセンサ素子の通路に近い一側にはレンズが設けられることを特徴とする請求項１記載の証明証を識別できる紙幣処理装置である。
請求項９の発明は、サンプルモジュールには、電荷結合素子（ＣＣＤ）、相補性金属酸化膜半導体（ＣＭＯＳ）またはその他の形式のカメラが設けられることを特徴とする請求項１記載の証明証を識別できる紙幣処理装置である。
請求項１０の発明は、伝動装置のモータの一側には、光リングおよびその回転数を測定するセンサ装置が設けられることを特徴とする請求項１記載の証明証を識別できる紙幣処理装置である。
【発明の効果】
【００１３】
本発明の紙幣処理装置によれば、本体の前端に証明証および紙幣を挿入できる挿入溝が設けられ、挿入溝の後方に接続された通路両側には伝動装置および識別装置が設けられ、伝動装置には証明証および紙幣を所定の位置まで搬入または排出するモータ、複数のローラおよびベルトが設けられ、識別装置には通路に沿って証明証の真偽および生年月日を識別するサンプルモジュールと、紙幣の真偽および額面を識別する光学識別モジュールとが設けられ、本体が自動販売機と接続され、自動販売機がたばこ、酒、薬品またはその他の規制商品を販売するとき、挿入された証明証の年齢が法定年齢に達しているかどうかを判断するので、未成年者が上記の規制商品を購入するのを防止し、法律違反を防止できる。
【００１４】
また、証明証は、本体の挿入溝から通路に挿入された後、伝動装置によって所定の位置まで搬入され、識別装置のサンプルモジュールが証明証の真偽および生年月日の識別を行い、識別後、伝動装置が逆回転して証明証を挿入溝まで排出して使用者に返却され、紙幣が挿入溝から同一の通路に挿入されたとき、伝動装置は紙幣を所定の位置まで搬入し、識別装置の光学識別モジュールによって真偽および額面が識別され、紙幣が無効紙幣の場合、伝動装置が逆回転して紙幣が排出され、有効紙幣の場合、伝動装置が紙幣を通路後側の紙幣スタッカに収納し、従来技術では二台の機器を使用して証明証および紙幣の識別をそれぞれ行なっていたのを一台の紙幣処理装置で行なうことができるので、自動販売機の空間を節約でき、同一の通路、伝動装置またはその他の装置によって運転が行われるので、紙幣処理装置内部に必要な部材も節約でき、コストを低減させることができる。
【００１５】
更に、証明証を識別できる紙幣処理装置を使用するとき、使用者は証明証を挿入し、識別が終了した後、証明証が使用者に返却され、その後、紙幣を挿入して商品の購入を行ない、紙幣を挿入する前に証明証が返却されるので、使用者が証明証を取り忘れて紛失したり、他人の手に渡ったりし、再発行などの手続きを取らなければならなくなるのを防止でき、また、証明証が他人によって悪用されるのを防止でき、紙幣処理装置の使用時の安全性を高めることができる。
【発明を実施するための最良の形態】
【００１６】
本発明の目的、特徴および効果を示す好適な証明証を識別できる紙幣処理装置の実施例を図に沿って詳細に説明する。
図１は、本発明の一実施例を示す斜視図である。図２は本発明の一実施例を示す斜視分解図である。図３は本発明の一実施例を示す断面図である。これらの図から分かるように、本発明の証明証を識別できる紙幣処理装置は本体１内に伝動装置２、識別装置３および紙幣スタッカ４が設置される。
本体１の前端は証明証が挿入される挿入溝１１を有し、挿入溝１１後方には通路１２が接続され、通路１２の前側には複数のセンサスイッチ１３が設けられ、複数のセンサスイッチ１３間には遮光シャッタ１４が設けられ、通路１２中央の湾曲部には盗難防止部材１５が設けられる。
【００１７】
伝動装置２は通路１２の両側に設置される。伝動装置２はモータ２１、ローラ２２およびベルト２３を有し、モータ２１の底部にはローラ２２の回転速度を計算できる光リング２１１、センサ装置２１２が設けられる。伝動装置２には通路１２の後側に紙幣押圧装置２４が設けられる。
識別装置３(31,32)は、通路１２の上下両側に設置される。識別装置３にはセンサスイッチ１３後側に少なくとも一組以上のサンプルモジュール３１および光学識別モジュール３２が進行方向の順番に設けられ、光学識別モジュール３２には上下対向して発光素子３２１およびセンサ素子３２２が複数設けられ、発光素子３２１およびセンサ素子３２２の通路１２側の一側にはレンズ３２３が設けられる。
紙幣スタッカ４は通路１２後側に設置されて紙幣押圧装置２４と相対している。紙幣スタッカ４の通路１２側には押圧板４１が設けられ、押圧板４１の通路１２から離れた一側には一つまたは一つ以上の弾性部材４２が設けられる。
【００１８】
図３は本発明の一実施例を示す断面図であるが、図４は図３の証明証５が通過する通路１２部分の拡大した断面図であり、同様に、図５は証明証５が移動した通路１２部分の拡大した断面図である。
これらの図から分かるように、本発明の実施例を使用するとき、本体１を自動販売機内に設置し、使用者が証明証５または紙幣６を挿入し、証明証５または紙幣６が挿入溝１１から通路１２に搬入されたとき、証明証５または紙幣６がセンサスイッチ１３を遮蔽し、センサスイッチ１３が遮光シャッタ１４、伝動装置２および識別装置３を運転させる。
遮光シャッタ１４が開けられた後、証明証５または紙幣６は挿入され、伝動装置２のモータ２１がローラ２２およびベルト２３を正回転させて証明証５または紙幣６を搬入する。モータ２１が運転されるとき、光リング２１１を回転させ、センサ装置２１２が光リング２１１の回転数を計測および計算して証明証５または紙幣６が前進した距離を計算する。モータ２１は運転開始および運転停止または運転速度の変更を行ってローラ２２の回転数を制御できる。
【００１９】
証明証５または紙幣６は伝動装置２によって所定の位置まで移動し、真偽、生年月日および額面などの識別が行なわれ、証明証５または紙幣６が遮光シャッタ１４内側のセンサスイッチ１３を通過したとき、センサスイッチ１３は遮光シャッタ１４を閉じ、盗難および外部の光源によって識別および認識が干渉されるのを防止する。
上述のモータ２１はステッピングモータ、サーボモータまたはその他のモータであり、光リング２１１、ローラ２２、ベルト２３および紙幣押圧装置２４を駆動して運転を行う機能を有すればよく、この構成と同等機能・効果を奏するものであれば他の構成を用いても良いことは勿論であり本発明に含まれる。
【００２０】
図２は本発明の一実施例を示す斜視分解図である。図４は本発明の一実施例を示す断面図である。図５は本発明の一実施例を示す断面図である。図６は本発明の使用時のフローチャート図である。図７は本発明の使用時のフローチャート図である。
これらの図から分かるように、本発明の紙幣処理装置を自動販売機に設置して使用するとき、下記の工程順のステップ(ステップ１００〜１１０)を実行して紙幣及び証書を認識する。
【００２１】
（１００）：システムの初期化を行なう。
（１０１）：証明証５または紙幣６が挿入されたかどうかを判断し、証明証５が挿入された場合ステップ（１０２）を行い、紙幣６が挿入された場合、ステップ（１０６）を行なう。
（１０２）：証明証５が挿入され、伝動装置２によって所定の位置に搬入される。サンプルモジュール３１が証明証の画像を取得し、真偽および年齢の識別および判断を行なう。本物の証明証であり、成年者である場合はステップ（１０３）を行い、偽者の証明証または未成年者である場合はステップ（１０５）を行なう。
（１０３）：証明証５を判断した後、その真偽およびデータを自動販売機の制御システムに伝送して証明証５を返却する。
（１０４）：紙幣６が挿入されるか、取消が選択される。紙幣６が挿入された場合、ステップ（１０６）を行い、取消が選択された場合、ステップ（１０１）を行なう。
（１０５）：証明証５が無効であることを表示し、証明証５を返却し、ステップ（１０１）を行なう。
（１０６）：紙幣６が挿入され、伝動装置２によって所定の位置に搬入される。紙幣６を識別し、有効紙幣であるかどうかおよび額面を判断する。有効紙幣であると判断された場合、ステップ１０７を行なう。無効紙幣である場合はステップ（１０９）を行なう。
（１０７）：正確な紙幣の額面を自動販売機の制御システムに伝送する。
（１０８）：自動販売機の制御システムの決済処理が終了した後、ステップ（１０１）を行なう。
（１０９）：紙幣を排出し、ステップ（１０１）を行なう。
（１１０）：自動販売機の制御システムが待機時間が過ぎたり、その他の原因によって取消が要求された場合、取消を表示し、ステップ（１０４）を行なう。
【００２２】
上記のステップにおいて、証明証５の真偽を識別するとき、サンプルモジュール３１を利用して証明証５の画像および偽造防止特徴を取得し、画像データに変換し、画像データベースを構築し、予め設けられた画像データベースとの比較を行い、証明証５の真偽を判断する。証明証５が本物である場合、サンプルモジュール３１を利用して証明証５上の生年月日を取得し、光学式文字読み取り（ＯＣＲ）によって文字データに復号化し、現在の日時から証明証の保有者が法定年齢に達しているかどうかを確認し、識別後のデータを自動販売機に伝送して関連商品の販売を行う。
また、証明証５の真偽、年齢および身分の確認を行なうが、上述の三項の内、一項でも合格しない場合、伝動装置２が逆回転して証明証５を排出して販売を停止する。証明書５の保有者が証明証５を自動販売機に挿入した後、取引が成立するかしないかに関わらず、証明証の特徴、生年月日、証明証番号、取引日時または商品名などのデータは記録され、後日のファイル化または検索ができるようになっている。
【００２３】
上述の方式は証明証５上の生年月日区域から実際の年齢を識別することも、証明証５上の氏名、身分証番号またはパスポート番号を識別することもでき、購入者の氏名、生年月日、身分証番号および商品名などの関連データを記録でき、危険性の高い規制商品を販売している場合、後日、それらのデータをファイル化または検索することができる。
上述の年齢識別は本発明の好適な実施例を示すものであり、本発明の範囲を制限するものではなく、証明証上の氏名、身分証番号またはパスポート番号などの識別をすることもできる。証明証５は運転免許証、身分証、健康保険カードまたはその他の年齢を識別できるものであり、この構成と同等機能・効果を奏するものであれば他の構成を用いても良いことは勿論であり本発明に含まれる。
【００２４】
上述のサンプルモジュール３１には電荷結合素子（ＣＣＤ）、相補性金属酸化膜半導体（ＣＭＯＳ）またはその他の形式のカメラが設けられ、証明証５の画像データおよび文字を取得し、証明証上の偽造防止特徴の読取り機能または識別機能を有すればよい。偽造防止特徴は透かし、エンボス加工、隠蔽バーコードまたはレーザラベルなどの特殊標記であり、この構成と同等機能・効果を奏するものであれば他の構成を用いても良いことは勿論であり本発明に含まれる。
【００２５】
紙幣６が通路１２内に進入したとき、識別装置３の光学識別モジュール３２が紙幣６の識別を行なう。光学識別モジュール３２の発光素子３２１が放出する光線が紙幣６を貫通し、紙幣６他側のセンサ素子３２２が貫通した光線を受信することによって、紙幣６上の偽造防止標記および額面の識別および判断を行なう。発光素子３２１は青色光、緑色光および赤色光などの可視光線または紫外線などの不可視光線などの様々な波長の光を発射することができ、識別装置３によって様々な国家、形式および額面の紙幣６を識別することができる。
【００２６】
紙幣６が本物であると識別されたとき、伝動装置２が運転を開始し、紙幣６を通路１２後側に移動させる。紙幣６が紙幣押圧装置２４と紙幣スタッカ４との間まで移動したとき、紙幣押圧装置２４が紙幣６を紙幣スタッカ４の方向に押し、紙幣スタッカ４の押圧板４１が紙幣押圧装置２４の押圧を受け、弾性部材４２が弾性変形し、紙幣押圧装置２４が退却した後、弾性部材４２は弾性回復力によって押圧板４１を押して本来の位置に復位させ、紙幣６が紙幣スタッカ４内にスムーズに収納される。
上述の紙幣押圧装置２４は紙幣押圧板、クロスリンクおよびその他の部材から構成され、伝動装置２によって通路１２から移動される紙幣６を紙幣スタッカ４に押し、紙幣６を紙幣スタッカ４内に収納する。紙幣押圧の方式は従来技術であり、本発明の要点ではないので詳細な説明は行わない。
伝動装置２のモータ２１は光リング２１１およびセンサ装置２１２によってローラ２２の回転数の計算および制御を行い、証明証５および紙幣６が前進する速度および距離を制御する。また、識別装置３のサンプルモジュール３１は証明証５上の偽造防止特徴および文字区域に合わせて設置され、証明証５は本体１の通路１２に進入した後、サンプルモジュール３１によって読取りおよび識別が確実に行なわれ、紙幣６は識別装置３の光学識別モジュール３２によって真偽および額面の識別が確実に行なわれる。このような簡易な修飾および同等機能・効果の構造の変更は全て本発明に含まれる。
【００２７】
本発明の実施例は、自動販売機に設置された後、少なくとも一組以上のサンプルモジュール３１が証明証５の真偽、所有者の年齢および身分を同時に識別し、証明証５の所有者が法定年齢に達しているかどうかを確定することができるので、未成年者がたばこ、酒またはその他の年齢制限がある商品を購入するのを制限することができ、販売者および購入者が法律違反をするのを防止することができる。また、自動販売機が薬品またはその他の危険性の高い規制品を販売する場合、証明証の所有者の生年月日、氏名、身分証番号、パスポート番号、販売時間または販売商品などの関連データを同時に記録することができ、後日、ファイル化および検索を行なうことができ、商店または販売者が規制商品を直接販売することによって他人に危害を加えられる心配もなく、長期服用が必要な薬物を特定の患者に販売することができ、病院に薬物を取りに行くことによる時間の浪費を避けることができる。また、録画装置を証明証の関連データを記録できる自動販売機に設置することによって、犯罪発生時間およびその他の捜査資料を提供することができ、警察は有効な犯罪捜査網を構成し、犯罪率の上昇を防止することができる。
【００２８】
また、本体１の挿入溝１１および通路１２から証明証５および紙幣６が挿入され、伝動装置２が証明証５または紙幣６の所定の位置への搬入および排出を行い、本来、自動販売機に二台の装置を設置して証明証５および紙幣６の識別を別々に行なう必要があったのが、本発明の紙幣処理装置だけを設置すればよいので、空間を節約することができ、紙幣処理装置の本体１内には一つの挿入溝１１、通路１２および伝動装置２が設けられるだけなので、生産コストを低減させることができる。
【００２９】
本発明の証明証を識別できる紙幣処理装置を使用するとき、先ず、証明証５を本体１の挿入溝１１から通路１２に挿入し、伝動装置２および識別装置３によって証明証５を所定の位置まで搬入して識別を行なう。識別が完了した後、伝動装置２が証明証５を排出し、使用者に証明証５が返却される。証明証５が本物であり、成年者であることが確認された場合、使用者は本体１の挿入溝１１から紙幣６を挿入して自動販売機の商品を購入することができる。使用者は先ず証明証５を挿入して識別を行い、識別が完了した後、証明証５が返却され、同一の通路１２に紙幣６を挿入して商品を購入するので、使用者が証明証５を取り忘れて紛失したり、他人の手に渡ったりし、再発行などの手続きを取らなければならなくなるのを防止でき、また、証明証５が他人によって悪用されるのを防止でき、紙幣処理装置の使用時の安全性を高めることができる。
【００３０】
本発明は、本体１の前端に証明証５および紙幣６が挿入される挿入溝１１を有し、挿入溝１１後方に接続された通路１２両側に識別装置３が設けられ、識別装置３には少なくとも一組以上のサンプルモジュール３１および光学識別モジュール３２が設けられ、証明証５が挿入されたとき、サンプルモジュール３１によって真偽および生年月日の識別を行なうことができ、紙幣６が挿入されたとき、光学識別モジュール３２によって真偽および額面の識別を行なうことができる。本体１が自動販売機に設置されることによって、未成年者が酒、たばこまたは年齢制限がある商品を購入するのを制限することができる。上述の自動販売機に使用される証明証の識別方法は本発明の好適な実施例を示したものであり、本発明の明細書および図面内容を運用した簡易な修飾および同等機能・効果の変更は全て本発明に含まれる。
上述のように、本発明の証明証を識別できる紙幣処理装置は確実にその効果および目的を達成でき、本発明は高い実用性を有する発明であり、産業上の利用性、新規制および進歩性を有する発明である。
【図面の簡単な説明】
【００３１】
【図１】本発明の一実施例を示す斜視図である。
【図２】本発明の一実施例を示す斜視分解図である。
【図３】本発明の一実施例を示す断面図である。
【図４】本発明の一実施例の証明証を挿入したときの状態を示す断面図である。
【図５】本発明の一実施例の紙幣を挿入したときの状態を示す断面図である。
【図６】本発明の使用時のフローチャート図である。
【図７】本発明の使用時のフローチャート図である。
【符号の説明】
【００３２】
１  本体
１１  挿入溝
１２  通路
１３  センサスイッチ
１４  遮光シャッタ
１５  盗難防止部材
２  伝動装置
２１  モータ
２１１  光リング
２１２  センサ装置
２２  ローラ
２３  ベルト
２４  紙幣押圧装置
３  識別装置
３１  サンプルモジュール
３２  光学識別モジュール
３２１  発光素子
３２２  センサ素子
３２３  レンズ
４  紙幣スタッカ
４１  押圧板
４２  弾性部材
５  証明証
６  紙幣
【図１】
2009175934.tif 000003
【図２】
2009175934.tif 000004
【図３】
2009175934.tif 000005
【図４】
2009175934.tif 000006
【図５】
2009175934.tif 000007
【図６】
2009175934.tif 000008
【図７】
2009175934.tif 000009